(57)【要約】      （修正有）【課題】有効に窃盗件数を減らすこと及び直接排水溝まで物品が落下するのを防ぐことができる孔蓋構造を提供する。【解決手段】非金属のプラスチック材料で加工製造によって一体形成されている孔蓋である。該孔蓋は主に一つのプレートが主体とし、また該プレートの表面上に複数の平行に設置する排水孔路２０を設け、各排水孔路は非直線延伸する方式で、プレートの上板面と下板面を貫通していって、さらに該板面上にマークスペース１１や滑り止め紋様１２などを設けて非金属製孔蓋構造を構成する。【選択図】図２
0003155522.tif 000002
【実用新案登録請求の範囲】
【請求項１】
非金属のプラスチック材料で一体形成されているプレートを有し、前記プレートに平行に設置する上から下に貫通する複数の排水孔路を設ける孔蓋構造であって、
当該排水孔路は、非直線延伸する方式で、前記プレートの上板面と下板面を貫通し、前記プレートの上板面と下板面に縦方向に延伸する入水孔と出水孔と、
前記入水孔と前記出水孔との間に横方向に延伸する折曲区間と、
を形成する孔蓋構造であることを特徴とする孔蓋構造。
【請求項２】
前記折曲区間の頂面と前記入水孔の連接箇所に、下方に向けて突出する凸部を設けることを特徴とする請求項１に記載の孔蓋構造。
【請求項３】
前記プレートの頂面に滑り止め紋様を設けることを特徴とする請求項１に記載の孔蓋構造。
【請求項４】
前記プレートの上に各排水孔路とプレートとの間に連設する少なくとも一つの補強用肋材を設けることを特徴とする請求項１に記載の孔蓋構造。
【請求項５】
前記プレートの下方にさらにスペーサーを設けることを特徴とする請求項１に記載の孔蓋構造。
【考案の詳細な説明】
【技術分野】
【０００１】
本考案は一種の孔蓋構造に関し、特に一種のライフラインまたは汚水排出通路用孔蓋に関する。または一種の非金属材料（プラスチック材料など）で作られた孔蓋構造に関するものである。
【背景技術】
【０００２】
今では、都市のライフラインシステムの地下化につれ、数多く道路の地下には道路整備計画に合わせ、電力・電気通信・下水道・ガス管またケーブルの配設などに専用のライフライン、あるいは汚水排水用通路がある。そして、このようなライフラインまたは汚水排水用通路に対応した地表には周知のように、マンホールが適当間隔毎に設けられていって、管路の維持管理、またはマンホール底部及び管路内に堆積している汚泥等の清掃を便益とする。
【０００３】
また、上述のマンホールは一般道路の上または道路の周辺に設置していることから、専属する孔蓋でマンホールの開口部に蓋をする必要がある。これによって、人が誤ってマンホールに落ちてしまうのを防ぐことができる。そして、これらの孔蓋は使用対象また配設場所が異なることにより、構造的に少々異なってくる。
たとえば、普通の下水道と普通の排水溝が両方とも汚水排出用の管路システムであるが、普通の排水溝では多く道路の両脇に設け、また排水溝用蓋板で被覆することによって、排水溝用蓋板との間に使用された孔蓋が、排水溝に堆積している汚泥の清掃を便益とするほかに、さらに排水機能を有する。
【０００４】
普通の排水溝で使用されるのは図１に示すような孔蓋構造が多く、主に金属材質で鋳造または溶接の手段によって製造されたプレート１を有する。該プレート１は統一規格である外周輪郭を有しているため、外枠と嵌め合うことができる。そのほかに、そのプレート１の表面上には複数のプレート１を貫通する槽孔３と網孔を設け、排水用途及び工具４でフック部を差し込み、蓋を取り外すことに供する。
【考案の概要】
【考案が解決しようとする課題】
【０００５】
但し、従来の孔蓋に類似するものの大部分が金属材質で加工製造されており、排水用途に働き槽孔または網孔が直線単一延伸する方式で、孔蓋の上板面と下板面を貫通しているから、次のとおりの短所を持つ。
【０００６】
イ、普通の資源回収の相場において、金属材質は比較的に高い回収価格があるため、よく金属製孔蓋が盗難に遭う事件が起こり、公有財産にひどい損失を引き起こすばかりでなく、ひいてはそのために人が排水溝に落ちてしまう事故が起こる可能性もある。
【０００７】
ロ、金属製孔蓋が盗難に遭う事件を防止するため、一部の市区町村機関では、金属製孔蓋上にさらに鉄鎖に取り付ける。見た目がよくないし、かえって通行人を転ばせやすくなる。
【０００８】
ハ、従来の孔蓋に排水用途とする槽孔あるいは網孔は直線単一延伸する方式で、孔蓋の上板面と下板面を貫通しているため、通行人の身の回り品またはその他の雑物が孔蓋に落ちた場合、直接的に槽孔あるいは網孔を通過して孔蓋の下の方の排水溝までに落下しやすいので、落し物を拾い上げる手間がふえるばかりでなく、孔蓋の下の方までに落下した雑物が排水溝の流れを阻害する可能性もかなりある。
【０００９】
ニ、金属製孔蓋の色は、割合に単調、平板で、町のイメージを改善するにとって、プラスのフォローにはならない。
【課題を解決するための手段】
【００１０】
上記に鑑み、本考案の目的は、有効に窃盗件数を減らすこと及び直接的に排水溝までに物品を落下するのを防ぐことができる孔蓋構造を提供することである。
【００１１】
上記の目的を達成するために、本考案の「孔蓋構造」は、主に非金属のプラスチック材料で加工製造によって一体形成されている。該孔蓋は主に一つのプレートを主体とし、そして該プレートの表面上において、複数の排水孔路を設けている。各排水孔路は非直線単一延伸する方式で、プレートの上板面と下板面を貫通しているので、この通路の折曲変化を利用して、物品が直接的に孔蓋の下の方までに落下してしまう可能性を減少する。
【００１２】
さらに、非金属のプラスチック材料にとり、資源回収市場において、比較的に購入すべき価値がないので、孔蓋の窃盗件数を大幅に減らすことも可能である。それに、非金属のプラスチック材料は射出成形用金型で、プレートの頂面に滑り止め紋様などの滑りを防止する機能を施することに適合する。また、プレートの頂面の中央部にあるマークスペースで該孔蓋に所属の単位、関連警告用語や広告言葉などを標示することによって、さらに孔蓋の実用性と適用性を高める。
【図面の簡単な説明】
【００１３】
【図１】従来技術の孔蓋の使用態様図である。
【図２】本考案の実施例１に係る孔蓋構造の立面図である。
【図３】本考案の実施例１に係る孔蓋構造の断面図である。
【図４】本考案の実施例１に係る孔蓋構造部分の断面図である。
【図５】本考案の実施例２に係る孔蓋構造の断面図である。
【図６】本考案の実施例３に係る孔蓋構造の断面図である。
【図７】本考案の実施例４に係る孔蓋構造の立面図である。
【図８】本考案の孔蓋の使用態様を示す図である。
【図９】本考案の孔蓋の使用態様を示す断面図である。
【図１０】本考案の実施例５に係る孔蓋構造部分の断面図である。
【考案を実施するための形態】
【００１４】
前記した本考案の技術内容、特長および効果については、以下の参考図面に沿って実施形態の詳細説明により明らかになろう。
【００１５】
図２は本考案の実施例１に係る孔蓋構造の立面図で、図３は本考案の実施例１に係る孔蓋構造の断面図で、図４は本考案の実施例１に係る孔蓋構造部分の断面図である。上記の図２、図３と図４を参照し、これらの図において、本考案に開示される孔蓋構造は、主に一つのプレート１０を有し、該プレート１０は、非金属のプラスチック材料で加工製造によって一体形成されている。このプレート１０は、統一規格である外周輪郭を有するほかに、さらい以下の構成が設けられている。
【００１６】
複数の平行に設置する排水孔路２０を有する。各排水孔路２０は非直線延伸する方式で、プレート１０の上板面と下板面を貫通しているため、通路の折曲変化を利用して、物品が直接的に孔蓋の下の方までに落下してしまう可能性を減少する。
【００１７】
一つのマークスペース１１を有する。このマークスペース１１はプレート１０の頂面の適当的な位置に設けられ、本考案では中央部の位置を示す。このマークスペース１１は該孔蓋に所属の単位、関連警告用語や広告言葉などを標示することに供する。これによって、さらに孔蓋の実用性と適用性を高める。
【００１８】
図３及び図４を同時に合わせて参照し、本考案を実施する場合において、各排水孔路２０は、該プレート１０の上板面と下板面にそれぞれ縦方向に延伸する一つの入水孔２１と一つの出水孔２２を形成している。さらに該入水孔２１と該出水孔２２との間に横方向に延伸する折曲区間２３を形成し、すなわち、排水孔路２０毎に、入水孔２１と出水孔２２同じ縦方向の直線に位置しないようにする。これによって、入水孔２１に流入する液体または落とす雑物が横方向で折曲区間２３のに入れるようにしてから、出水孔２２を通過して孔蓋の下の方の排水溝に落下することが可能となる。これによって、物品が直接的に孔蓋の下の方までに落下してしまう可能性を有効的に減少することができる。
【００１９】
各排水孔路２０はさらに図５に示すように、該折曲区間２３の頂面と該入水孔２１の連接箇所に下方向け突出する凸部２４を設け、または図６に示すように、折曲区間２３の底面を出水孔２２に偏向する方向に延伸し、通路の幅を縮減する方式で、雑物が直接的に孔蓋の下の方までに落下してしまう可能性を有効的に減少することができる。
【００２０】
本考案の孔蓋構造の整体では、プラスチックやプラスチック被覆鋼などの非金属のプラスチック材料で加工製造によって一体形成されているため、非金属のプラスチック材料にとり、資源回収市場において、比較的に購入すべき価値が持っていないため、孔蓋の窃盗件数を大幅に減らすことが可能であり、人が排水溝に転落してしま事故ほか、公有財産に損失を引き起こすことを避けることもできる。さらに鉄鎖に取り付けなくで済むことから、使用の危険と不便を減少することもできる。
【００２１】
本考案の非金属のプラスチック材料で製造される孔蓋は図１に示すように、該プレート１０の頂面に滑り止め紋様１２などの滑りを防止する構成が設けられ。または、荷重能力を増加するため、図７に示すように、そのプレート１０上に少なくとも一つの補強用肋材１３を設け、各排水孔路２０とプレート１０との間に連設する。このため、プレート１０整体の結構の強度を増加し、さらに孔蓋構造の整体の信頼度を高めることができる。
【００２２】
もちろん、プレート１０が射出成形に際して、所定比例の着色剤をプラスチック材料に加えることと合わせて、孔蓋整体に色もより豊富でバリエーションを持つ。孔蓋の使用安全性を増加するのみならず、町のイメージを改善するにはプラスのフォローになるし、さらに異なる地域(県、市、行政地域)により、違う色を採用して分類でき、町のイメージを美化し、明確的に分類することもでき、管理により便利になり、誠に一つの斬新的な構想で，豊かな新しいアイデアと言ってもよい。
【００２３】
ここで取り上げる価値があるのは、本考案の孔蓋構造を実際的に使用する場合、直接的にあらかじめ排水溝の上の方に舗装して外枠をお互いに嵌め合いの使用方式のほか、図８及び図９に示すように該プレート１０の下の方に少なくとも一つにスペーサー３０を設置し、該スペーサー３０を外枠４０とプレート１０との間に設けられ方式を利用し、プレート１０の頂面（すなわち孔蓋の頂面）をもっとも周囲の路面５０の高さに近づくように調整する。もっとも経済的なかつ快速な方式で、周囲の路面に再び舗装する高さの変更に対応し、孔蓋の使用安全性を確保することができる。
【００２４】
図１０は、本考案の実施例５に係る孔蓋構造部分の断面図である。本考案の孔蓋構造では、該入水孔２１の中央箇所にさらに一つの肋部２５を設け、該入水孔２１の間隔を縮小して、さらに、ハイヒールを履いている婦人がその上を踏む際、ヒールが嵌ってしまって気恥ずかしい羽目になるのを避けることができる。
【００２５】
但し、以上は実施例の列挙であり、本考案になんらの制限を加わるものではない。本考案の精神と範囲を逸脱しない限り、その等効果修正又は変更は、なお、請求範囲に含まれるものとする。
【符号の説明】
【００２６】
１：プレート
２：外枠
３：槽孔
４：工具
１０：プレート
１１：マークスペース
１２：滑り止め紋様
１３：補強用肋材
２０：排水孔路
２１：入水孔
２２：出水孔
２３：折曲区間
２４：凸部
２５：肋部
３０：スペーサー
４０：外枠
５０：路面
【図１】
0003155522.tif 000003
【図２】
0003155522.tif 000004
【図３】
0003155522.tif 000005
【図４】
0003155522.tif 000006
【図５】
0003155522.tif 000007
【図６】
0003155522.tif 000008
【図７】
0003155522.tif 000009
【図８】
0003155522.tif 000010
【図９】
0003155522.tif 000011
【図１０】
0003155522.tif 000012